(57)【要約】      （修正有）【課題】付けたままスマートフォンの操作が簡単に出来るスマートフォンケースを提供する。【解決手段】スマートフォンケースは、上部ケース１と下部ケース２を含み、上部ケース１は、透明で、堅く割れない素材で作られ、上部ケース１と下部ケース２は、折り曲げ部分によってつながれ、上部ケース１に留め具凹部分３、下部ケース２に留め具凸部分４を付け、ロックすることにより、上部ケース１と下部ケース２が密着され、スマートフォンをケースに入れたまま楽に操作ができる。【選択図】図１
0003233163.tif 000002
【実用新案登録請求の範囲】
【請求項１】
本考案のスマートフォンを載置する上部ケースと下部ケースを有するスマートフォン収納ケースにおいて、上部ケースは透明であり、上部ケースと下部ケースは、折り曲げ部によって連結する。
また、スマートフォンケース上下をただ閉じた状態を保持するだけでなく、さらに上下のケースを強く押さえる必要から、完全に密着させフタをしたまま操作可能にするため、留め具を上下のケースに取り付けることにより。楽にタッチ、スルーの操作ができる。留め具凹部は、上部ケースの端中央に、留め具凸部は、下部ケースの端中央に配置されていることを特徴とするスマートフォンケースである。このことによって、スマートフォンのフタを留め具でロックすれば問題点をすべて解決する。
【請求項２】
本体の上部ケースは、透明であり強固な強化ガラス等の素材を設ける。下部ケースは、硬質ゴム、硬質プラスチック、ポリプロピレン等の滑らない材質の物を使用することを特徴とする請求項１記載のスマートフォンケース。
【請求項３】
本体の上部ケースと下部ケースは、折り曲げ部によって結合されることを特徴とする請求項１記載のスマートフォンケース。
【請求項４】
本体の留め具凹部は、上部ケースの端中央に、留め具凸部は、下部ケースの端中央に配置されることを特徴とする請求項１記載のスマートフォンケース。
【考案の詳細な説明】
【技術分野】
【０００１】  本考案は、現在、スマートフォン本体の液晶画面に直接貼り付けるガラス、また液晶画面に上から被せるケースはあるが、貼り付けるガラスは、スマートフォンを落下した場合は損傷が必ず発生し、スマートフォンの上に被せるケースはある程度はタッチ等可能ではあるが、少しでも本体の液晶画面との隙間があれば１００％完全とは言えない。スマートフォンをケースに入れたまま、指でタッチ、スルー等の操作が完璧にできるには、どのようにすれば良いかと考えたものである。スマートフォンケース上下に、留め具を設けたスマートフォンケースに関するものである。
【背景技術】
【０００２】  スマートフォン利用者は、落下による衝撃からスマートフォンを保護する目的から、スマートフォン本体に直接貼り付けるガラス等、また、液晶画面に上から被せるケース等、スマートフォン本体を包む皮等で出来たカバー、この他透明ガラス上下を磁石で貼り合わせる物もあり、現在これ以外のスマートフォンケースは見あたらない。スマートフォンの本体の中の精密機械、液晶画面の安全、安心を守るため、どのようなスマートフォンがいいか、思慮した結果、上部のケースをスマートフォンが入った下部のケースに被せたまま、上部透明ケースでスマートフォンを指でタッチ、スルー等の操作が出来ないかを考えたものである。
【考案の概要】
【考案が解決しようとする課題】
【０００３】  これは、次のような欠点があった。
従来、スマートフォンケースは、落下による衝撃からスマートフォンを保護する目的から、落下防止が一番の対象とされる事から、強度の強いガラスが用いられているが、このガラスさえ完璧といえるものはない。現在使用している強度の６倍の強度があるという商品も販売されている。
また、手帳タイプのケースもある。この手帳タイプは、スマートフォンのカメラ機能を用いる場合には、スマートフォンの側方に他方の平板が配置されると、他方の平板がスマートフォンを操作する際の障害になるおそれがある。また、他方の平板をスマートフォンの裏側に配置すると、他方の平板がスマートフォンを操作する際の撮影レンズを隠してしまい、撮影ができない。
これ以外はスマートフォン本体の下を被せる下部ケースとこれを被せる透明の上部ケースまたは、下部ケースと上部ケースのそれぞれの端がつながり、これも一方は被せる形となっており、スマートフォン本体をこのケースに入れて透明の上部ケースを指で操作することは可能であるが、使用していても上部ケースとスマートフォン本体の液晶画面に隙間が発生すれば、完璧な操作が出来ないおそれが生じる。
また、上下ケースとも強化ガラス等の素材で出来たスマートフォンケースがあり、透明の上部ケースでタッチ、スルーが可能なすばらしい商品ではあるが、このスマートフォンケース上下は磁石によって、フタを結合しており、スマートフォン自体精密機械であり、例えタッチ、スルーが出来たとしても、磁石は精密機械に何らかの影響がある可能性が認められ、この商品を使っていた人が、時々タッチ、スルーが出来ないという苦情の情報も確認された。
【課題を解決するための手段】
【０００４】  本考案のスマートフォンを載置する上部ケースと下部ケースを有するスマートフォン収納ケースにおいて、上部ケースは透明であり、上部ケースと下部ケースは、折り曲げ部によって連結する。
また、スマートフォンケース上下をただ閉じた状態を保持するだけでなく、さらに上下のケースを強く押さえる必要から、完全に密着させフタをしたまま操作可能にするため、留め具を上下のケースに取り付けることにより、楽にタッチ、スルーの操作ができる。留め具凹部は、上部ケースの端中央に、留め具凸部は、下部ケースの端中央に配置されていることを特徴とするスマートフォンケースである。
スマートフォンは最高級の精密機械であり、この精密機械に悪い影響を及ぼす素材はない。  このことによって、スマートフォンのフタを留め具でロックすれば問題点をすべて解決する。
［請求項２］
本体の上部ケースは、透明であり、強固な強化ガラス等の素材を設ける。下部ケースは、硬質ゴム、硬質プラスチック、ポリプロピレン等滑らない材質の物を使用することを特徴とする請求項１記載のスマートフォンケース。
［請求項３］
本体の上部ケースと下部ケースは、折り曲げ部によって結合されることを特徴とする請求項１記載のスマートフォンケース。
［請求項４］
本体の留め具凹部は、上部ケースの端中央に、留め具凸部は、下部ケースの端中央に配置されることを特徴とする請求項１記載のスマートフォンケース。
【考案の効果】
【０００５】  請求項１記載の考案は、スマートフォンケースを付けたままスマートフォンの操作、タッチ、スルーが簡単に出来るスマートフォンケース器具であって、上部ケースと下部ケースそれぞれの端に留め具を取付け、スマートフォン本体をケースの中に入れ、留め具をロックすると、上部ケースと下部ケースは完全密着し、本体の液晶画面と上部ケースの透明部分に全く隙間が無くなり、指によるタッチ、スルーの操作が可能となる。また、留め具使用のケースには、液晶画面に貼り付けていたガラス等はいらない。貼り付ける必要もない。スマートフォンケースをロックさえしていれば、スマートフォンを落としても液晶画面にはキズが付かない。誰もが使える新しいタイプの画期的なスマートフォンケースである。
【考案を実施するための形態】
【０００６】  以下、本考案の実施の形態を図面に基づき詳細に説明する。
【０００７】  図１は、本考案のスマートフォンケースの見開き状態を示す参考斜視図で、上部ケースは透明で、落としても割れない、傷が付かない強固な強化ガラス等の素材で作る。下部ケースは、硬質ゴム、硬質プラスチック、ポリプロピレン様の軽く割れない材質等の滑らない材質の物を使用する。上部ケースには留め具凹部を取付け、下部ケースには留め具凸部を取り付ける。上部ケースはすべて湾曲でスマートフォンを入れる下部ケースを包む様になっている。留め具凹凸をロックすることにより、スマートフォン本体は上部ケースに完全に密着しているため、スマートフォンが飛び出すことはなく、上部ケースの２カ所短い箇所は湾曲にする。
【０００８】  図２は、本考案のスマートフォンを入れた状態を示す参考斜視図である。留め具凹凸をきっちりロックすれば、例え落としてもスマートフォンがケースから飛び出すこともなく、フタをしたまま指による操作が可能である。
【０００９】  図３は、スマートフォンを入れていない状態を示す参考斜視図である。
【００１０】  図４は、平面図である。
図５は、背面図である。
図６は、左側面図である。
図７は、右側面図である。
図８は、平面図である。上部ケース中央に取り付けている留め具凹部が下部ケース中央に取り付けている留め具凸部にロックされている状態を表している参考斜視図である。
図９は、底面図である。
図１０は、スマートフォンケースの上下ケースの折り曲げ部を示す参考斜視図である。この折り曲げ部は、上部ケースと下部ケースと連絡する可能性を有する平板状の部分であり、上部ケースの一方の長辺の中央部と下部ケースの一方の長辺の中央部とが折り曲げ部分によって連結される。折り曲げ部分の幅はケース体の厚さとフレーム部における上面部の幅との和の長さ程度に設定されている。このようにカバー体は、折り曲げ部によって上部ケースと下部ケースとが開閉自在であり、手帳のように折り畳み可能である。ケースに留め具凹部、下部ケースに留め具凸部が付いている。
図１１も図１０同様スマートフォンのつなぎ部分を表す参考斜視図である。使い方は、図２である。
【図面の簡単な説明】
【００１１】
【図１】本考案のスマートフォンの見開き状態を示す参考斜視図である。
【図２】本考案のスマートフォンを入れた状態を示す参考斜視図である。
【図３】本考案のスマートフォンを入れていない状態を示す参考斜視図である。
【図４】本考案の正面図である。
【図５】本考案の背面図である。
【図６】本考案の左側面図である。
【図７】本考案の右側面図である。
【図８】本考案の平面図である。
【図９】本考案の底面図である。
【図１０】本考案のスマートフォンの上下ケースのつなぎ部分（折り曲げ部）を示す参考斜視図である。
【図１１】本考案の図１０に同じ
【実施例】
【００１２】  具体的には、スマートフォン上部ケースと下部ケースの間は、上部ケースの一部上部と下部ケースの一部下部とをつなぎ合わせ、（図１０，図１１参照）、上部ケースのつなぎ部分の反対側中央に、留め具凹部を下部ケースのつなぎ部分の反対側中央下部に留め具凸部を取り付け、スマートフォンケースの中にスマートフォンを入れ、留め具をロックすればスマートフォン本体の液晶画面が透明の上部ケースと密着し、手元でスマートフォンを揺らしても全く液晶画面は動かず、ただ単にスマートフォンケースを被せていた現在のケースとは全く違い、スマートフォンの操作、タッチ、スルーが見違えるほど滑らかに使用出来る。以上が本考案に係るスマートフォンケースの構成の説明であり、本考案の大きな特徴といえる。【００１３】  本考案に係るフタをしたまま操作が出来るスマートフォンケースは、スマートフォンケースのつなぎ部分と留め具凹凸部分から構成される。
【実施例１】  以下、図面に従って実施例を説明する。まず、図２の図面を見るとスマートフォンケースの中にスマートフォンを入れ、留め具をロックした状態にすれば、落としてもスマートフォンがケースから飛び出すことはなく、上部ケースは透明で固い材質で作れば、傷は全く入らない。また、操作にあっては楽にタッチ、スルーが面白い程滑らかに出来る。このようにロックをすれば安全で安心になり、、スマートフォンの精密機械本体を守ることが出来る。このようにすべての人に利用価値が高いスマートフォンケースは今まで世の中に無かった、本発明の大きな特徴といえる。
【考案の効果】
このようなフタをしたまま操作が出来るスマートフォンは、今までに無かったスマートフォンケースである。
【符号の説明】
【００１４】  １    上部ケース
２    下部ケース
３    留め具凹部
４    留め具凸部
５    折り曲げ部
６    スマートフォン本体
７    湾曲部
【図１】
0003233163.tif 000003
【図２】
0003233163.tif 000004
【図３】
0003233163.tif 000005
【図４】
0003233163.tif 000006
【図５】
0003233163.tif 000007
【図６】
0003233163.tif 000008
【図７】
0003233163.tif 000009
【図８】
0003233163.tif 000010
【図９】
0003233163.tif 000011
【図１０】
0003233163.tif 000012
【図１１】
0003233163.tif 000013
【手続補正書】
【提出日】令和3年4月7日(2021.4.7)
【手続補正１】
【補正対象書類名】実用新案登録請求の範囲
【補正対象項目名】全文
【補正方法】変更
【補正の内容】
【実用新案登録請求の範囲】
【請求項１】
スマートフォンを載置する上部ケースと下部ケースを有するスマートフォン収納ケースにおいて、上部ケースと下部ケースとを留め具凹凸部で引っかけ、連結し留めることを特徴とするスマートフォンケース。
【請求項２】
上部ケースは、透明であることを特徴とする請求項１記載のスマートフォンケース。
【請求項３】
本体の上部ケースと下部ケースは、折り曲げ部によって結合されることを特徴とする請求項１記載のスマートフォンケース。
【請求項４】
本体の留め具凹部は、上部ケースの端中央に、留め具凸部は、下部ケースの端中央に配置されることを特徴とする請求項１記載のスマートフォンケース。